(57)【要約】【課題】氷柱の形成を抑制することができ、氷柱の落下による危険性を減らすことのできるＬＥＤ照明器具を提供する。【解決手段】器具本体２内にＬＥＤを収納し、このＬＥＤの光を外部へ照射するＬＥＤ照明器具１であって、器具本体２の側端に設けられ、器具本体２を所定の設置面５に取り付けるための取り付け部３と、器具本体２の最下部２１の下方に設けられ、最下部２１から垂れ落ちる水を受け止める水受け面４１と、この水受け面４１で受け止めた水を設置面５近傍へと誘導する水誘導面４２とを有する水誘導手段４と、を備える。【選択図】図２
2011249011.tif 000002
【特許請求の範囲】
【請求項１】
器具本体内にＬＥＤを収納し、このＬＥＤの光を外部へ照射するＬＥＤ照明器具であって、
前記器具本体の側端に設けられ、前記器具本体を所定の設置面に取り付けるための取り付け部と、
前記器具本体の最下部の下方に設けられ、最下部から垂れ落ちる水を受け止める水受け面と、この水受け面で受け止めた水を前記設置面近傍へと誘導する水誘導面とを有する水誘導手段と、を備えることを特徴とするＬＥＤ照明器具。
【請求項２】
前記最下部を通り鉛直方向に延びる鉛直線と前記水受け面とが交差することを特徴とする請求項１に記載のＬＥＤ照明器具。
【請求項３】
前記水受け面は、前記設置面から離れる向きであって下方向へ傾斜して設けられ、
前記水受け面の上端部は前記取り付け部に接続され、下端部は前記水誘導面に連接されており、
前記水誘導面は、前記設置面に近付く向きであって下方向へ傾斜して設けられることを特徴とする請求項１又は２に記載のＬＥＤ照明器具。
【請求項４】
前記水誘導手段は、変形可能な板状体を曲げ変形させて構成されることを特徴とする請求項１〜３のいずれか１項に記載のＬＥＤ照明器具。
【発明の詳細な説明】
【技術分野】
【０００１】
本発明は、器具本体内にＬＥＤを収納し、このＬＥＤの光を外部へ照射するＬＥＤ照明器具に関するものである。
【背景技術】
【０００２】
屋外に設置され、夜間に周囲を照らす照明器具としては、街路灯、防犯灯、道路照明灯などがある。これらの照明器具は、専用の柱や電柱、壁面などに取り付けられる。
【０００３】
ところで、積雪の多い地方においては、冬季になると照明器具の下面に氷柱が生じ、この氷柱が落下する際に歩行者や自動車を直撃するという危険性がある。照明器具の上面に積もった雪が、光源の熱により徐々に融け、この融けた水が器具本体の最下部に集まり、最下部から垂れ落ちる際に外気温が低いと氷結され、最下部に氷柱が形成される。防犯灯のような照明器具は、その下を歩行者が通行するため、氷柱の落下は非常に危険である。
【０００４】
氷柱の形成を抑制する目的で、下記特許文献１には、内部に光源を装着し、アームで支持してなる屋外用照明器具において、照明器具本体の上面部は長手方向において、中央より外方に向けて下方に傾斜して構成し、かつ長手方向の両側外側部に水切り突部を構成し、さらに照明器具本体の上面の内側に、熱伝導板を配置して構成したことを特徴とする屋外用照明器具が記載されている。熱伝導板による熱伝導と、照明器具本体の内部で発生する熱の対流により、照明器具本体内部の温度を上昇させることで、積もった雪を融かし、氷柱の形成を抑制している。
【先行技術文献】
【特許文献】
【０００５】
【特許文献１】特開２００７−２７０１２号公報
【発明の概要】
【発明が解決しようとする課題】
【０００６】
一般的に、光源として水銀灯やナトリウムランプ等を用いた照明器具の場合、水銀灯やナトリウムランプからの発熱が大きいため、器具本体の最下部から垂れ落ちる雪融け水は氷結しにくく、氷柱は形成されにくい。これに対し、省エネルギー化の目的で近年増加しているＬＥＤを光源とした照明器具の場合、ＬＥＤからの発熱が小さいため、器具本体の最下部において氷柱が形成され、成長しやすいことが判明した。同様に、特許文献１の照明器具においても、光源としてＬＥＤを使用する場合には、照明器具本体内部の温度上昇が小さくなり、氷柱の形成を十分抑制できないおそれがある。
【０００７】
本発明は上記実情に鑑みてなされたものであり、その課題は、氷柱の形成を抑制することができ、氷柱の落下による危険性を減らすことのできるＬＥＤ照明器具を提供することである。
【課題を解決するための手段】
【０００８】
上記課題を解決するため本発明に係るＬＥＤ照明器具は、
器具本体内にＬＥＤを収納し、このＬＥＤの光を外部へ照射するＬＥＤ照明器具であって、
前記器具本体の側端に設けられ、前記器具本体を所定の設置面に取り付けるための取り付け部と、
前記器具本体の最下部の下方に設けられ、最下部から垂れ落ちる水を受け止める水受け面と、この水受け面で受け止めた水を前記設置面近傍へと誘導する水誘導面とを有する水誘導手段と、を備えることを特徴とする。
【０００９】
この構成によるＬＥＤ照明器具の作用効果を説明する。本発明のＬＥＤ照明器具は、器具本体内にＬＥＤを収納し、このＬＥＤの光を外部へ照射するものであり、柱や壁面など所定の設置面に取り付けられる。通常、器具本体の最下部には、雪融け水が集まり、氷柱が形成されやすい。本発明によれば、最下部から垂れ落ちる雪融け水を水受け面で受け止め、この受け止めた水を水誘導面により設置面近傍へと誘導することができるので、最下部から雪融け水が垂れ落ちてその場所で氷結し氷柱が形成されるのを防止でき、最下部での氷柱の形成を抑制することができる。また、仮に氷柱が形成される場合にも、雪融け水は水誘導手段によって設置面近傍に誘導されるので、氷柱が形成されるのは設置面近傍であり、照明器具の下方を通行する歩行者や自動車に対して氷柱が落下する危険性は低くなる。
【００１０】
本発明のＬＥＤ照明器具において、前記最下部を通り鉛直方向に延びる鉛直線と前記水受け面とが交差することが好ましい。この構成によれば、水受け面は、最下部から垂れ落ちる水を確実に受け止めることができる。
【００１１】
本発明のＬＥＤ照明器具において、前記水受け面は、前記設置面から離れる向きであって下方向へ傾斜して設けられ、前記水受け面の上端部は前記取り付け部に接続され、下端部は前記水誘導面に連接されており、前記水誘導面は、前記設置面に近付く向きであって下方向へ傾斜して設けられることが好ましい。この構成によれば、水受け面は下方向へ傾斜して設けられているので、受け止めた水を確実に水誘導面へ送ることができ、また、水誘導面は設置面に近づく向きであって下方向へ傾斜して設けられるので、水を確実に設置面に誘導することができる。また、水受け面は、その上端部が器具本体の側端に設けられた取り付け部に接続され、そこから設置面から離れる向きであって下方向へ傾斜して設けられることにより、器具本体内に収納されたＬＥＤの光を遮断しにくい。
【００１２】
本発明のＬＥＤ照明器具において、前記水誘導手段は、変形可能な板状体を曲げ変形させて構成されることが好ましい。この構成によれば、板状体を曲げ変形させることで、水受け面と水誘導面とを有する水誘導手段を容易に作製することができる。また、器具本体の設置面に対する角度を変更し、最下部の位置が変更になった場合にも、最下部から垂れ落ちる水を設置面近傍に確実に誘導できるように、水誘導手段の形状を変形させて調節することも容易である。
【図面の簡単な説明】
【００１３】
【図１】ＬＥＤ照明器具の外観斜視図
【図２】ＬＥＤ照明器具の正面図および側面図
【図３】本発明のＬＥＤ照明器具の作用効果を説明するための図
【図４】積雪防止カバーを備えたＬＥＤ照明器具の外観斜視図
【図５】別実施形態のＬＥＤ照明器具の側面図
【発明を実施するための形態】
【００１４】
本発明に係るＬＥＤ照明器具の好適な実施形態を図面を用いて説明する。図１は、ＬＥＤ照明器具の外観構成を示す斜視図である。図２（ａ）はＬＥＤ照明器具の正面図、図２（ｂ）はＬＥＤ照明器具の側面図である。本実施形態では、ＬＥＤ照明器具の一例として、電柱などに取り付けられる防犯灯を示す。
【００１５】
ＬＥＤ照明器具１は、器具本体２内にＬＥＤ（不図示）を収納し、ＬＥＤの光を外部へ照射することで、道路を照らすものである。本実施形態の器具本体２は、アルミニウム合金などで構成され、先端が細くなった砲弾状の外観をしている。ただし、器具本体２の外観は砲弾状のものに限定されるものではない。器具本体２内には、ＬＥＤのほか、ＬＥＤ電源装置、反射板なども収納される。器具本体２の下面は、内部のＬＥＤなどを保護するために透明な樹脂カバーなどで覆われている。
【００１６】
ＬＥＤ照明器具１は、器具本体２の側端部に設けられた取付金具（取り付け部に相当）３により、電柱の設置面５に取り付けられる。取付金具３は、金属板を折り曲げて構成されており、上方から見るとコの字状となっている。取付金具３のコの字状の対向する２面にはそれぞれ長孔３１が設けられおり、この長孔３１には電柱を周回する金属ベルト３２が通される。
【００１７】
ＬＥＤ照明器具１は、器具本体２が水平面に対して上方へ５〜５５°傾くように設置される。これにより、設置面５から離れた場所にもＬＥＤの光が照射される。器具本体２が水平面に対して傾くことで、器具本体２の最下部２１は、取付金具３（または設置面５）に近い位置となる場合が多い。
【００１８】
取付金具３には、水誘導手段４の上端部が固定される。水誘導手段４は、金属などの変形可能な板状体を曲げ変形させて構成されている。図２のように、水誘導手段４は略Ｌ字状に曲げられて、折曲部４３の両側に水受け面４１と水誘導面４２とが形成されている。水受け面４１と水誘導面４２の間の折曲部４３は、緩やかな曲面となっている。
【００１９】
水受け面４１は、器具本体２の最下部２１の下方に設けられ、最下部２１から垂れ落ちる水を受け止めることができる。水受け面４１は、設置面５から離れる向きであって下方向へ傾斜して設けられている。また、水受け面４１の上端部４１ａは取付金具３に接続され、下端部４１ｂは水誘導面４２の上端部４２ａに連接されている。水受け面４１は、側面から見ると、その下端部４１ｂが最下部２１の鉛直方向を越えており、すなわち、最下部２１を通り鉛直方向に延びる鉛直線２１ａが水受け面４１と交差するように構成されている。これにより、水受け面４１は、最下部２１から垂れ落ちる水を確実に受け止めることができる。
【００２０】
水誘導面４２は、水受け面４１で受け止めた水を設置面５近傍へと誘導することができる。水誘導面４２は、設置面５に近付く向きであって下方向へ傾斜して設けられている。水誘導面４２の上端部４２ａは、上述のように水受け面４１の下端部４１ｂと連接されている。また、水誘導面４２の下端部４２ｂは、設置面５の近傍に位置するように構成される。これにより、仮に氷柱が形成される場合にも、氷柱が形成されるのは設置面５近傍となり、氷柱が落下するとしても、図３に斜線で示す設置面５近傍の領域であり、照明器具１の下方を通行する歩行者や自動車に対して氷柱が落下する危険性は低くなる。よって、下端部４２ｂは、設置面５に出来る限り近付けることが好ましい。
【００２１】
水誘導手段４は、一定幅の板状体を曲げ変形させて構成してもよいが、図２（ａ）の正面図のように幅を徐々に狭くした先細りの板状体を曲げ変形させて構成してもよい。
【００２２】
器具本体２の上部には、図４の斜視図に示すような積雪防止カバー６を設けてもよい。積雪防止カバー６は、正面視において先端が鋭角な二等辺三角形状をしている。先端の角度は、３０°以下となっており、雪は自然に滑落し、雪が積もりにくくなっている。積雪防止カバー６を設けることで、より一層氷柱の形成を抑制することができる。
【００２３】
＜別実施形態＞
上記の実施形態では、水受け面４１および水誘導面４２は、図２（ｂ）の側面図のように略平面とし、水誘導手段４を略Ｌ字状断面としているが、水受け面４１および水誘導面４２は必ずしも平面でなくともよい。すなわち、水受け面４１および水誘導面４２を曲面とし、図５に示すように水誘導手段４を例えば略Ｓ字状断面としてもよい。
【００２４】
上記の実施形態では、器具本体２の最下部２１が一つのみであるが、複数となる場合もある。この場合、複数の最下部から垂れ落ちる水を一つの水誘導手段４で設置面５近傍へ誘導してもよいし、複数の最下部から垂れ落ちる水を対応する複数の水誘導手段４でそれぞれ設置面５近傍へ誘導してもよい。
【符号の説明】
【００２５】
１    ＬＥＤ照明器具
２    器具本体
３    取付金具
４    水誘導手段
５    設置面
６    積雪防止カバー
２１    最下部
２１ａ  鉛直線
４１    水受け面
４１ａ  上端部
４１ｂ  下端部
４２    水誘導面
４２ａ  上端部
４２ｂ  下端部
【図１】
2011249011.tif 000003
【図２】
2011249011.tif 000004
【図３】
2011249011.tif 000005
【図４】
2011249011.tif 000006
【図５】
2011249011.tif 000007